(57)【要約】【課題】受信環境の安定化、装置の小型化および低価格化を図ることが可能なデジタル放送受信システムを提供する。【解決手段】このデジタル放送受信システムでは、マスタ型携帯電話機１は、放送局からの高周波信号から生成したＴＳパケット列ＴＳＰ（Ｍ）と、スレーブ型携帯電話機１１からの無線信号から生成したＴＳパケット列ＴＳＰ（Ｓ）とを合成してエラーの少ないＴＳパケット列ＴＳＰ（Ｃ）を生成し、スレーブ型携帯電話機１１は、マスタ型携帯電話機１からの無線信号を復調してエラーの少ないＴＳパケット列ＴＳＰ（Ｃ）を生成する。したがって、複数の携帯電話機１，１１でダイバシチ受信を実現できる。【選択図】図１
2010021873.tif 000002
【特許請求の範囲】
【請求項１】
順序を示す連続指標とエラーの有無を示すフラグとを有するパケットを用いたデジタル放送を受信するデジタル放送受信装置であって、
放送局から送信された高周波信号を受信および復調して第１のパケット列を生成する高周波受信部と、
マスタモード時は、スレーブモードに設定された１または２以上の他のデジタル放送受信装置から送信された１または２以上の第１の無線信号を受信および復調して１または２以上の第２のパケット列を生成し、前記スレーブモード時は、前記マスタモードに設定された他のデジタル放送受信装置から送信された第２の無線信号を受信および復調して第３のパケット列を生成する無線受信部と、
前記第１のパケット列と前記１または２以上の第２のパケット列を受け、同じ連続指標を有する複数のパケットのうちのエラーの無いパケットを選択するようにしてエラーの少ない第４のパケット列を生成するパケット合成部と、
前記マスタモード時は、前記第４のパケット列を復号してデジタル放送信号を生成し、前記スレーブモード時は、前記第３のパケット列を復号してデジタル放送信号を生成し、シングルモード時は、前記第１のパケット列を復号してデジタル放送信号を生成するデジタル放送復号部と、
前記マスタモード時は、前記第４のパケット列を前記第２の無線信号に変換して前記スレーブモードに設定された他のデジタル放送受信装置に送信し、前記スレーブモード時は、前記第１のパケット列を前記第１の無線信号に変換して前記マスタモードに設定された他のデジタル放送受信装置に送信する無線送信部とを備える、デジタル放送受信装置。
【請求項２】
順序を示す連続指標とエラーの有無を示すフラグとを有するパケットを用いたデジタル放送を受信するデジタル放送受信装置であって、
放送局から送信された高周波信号を受信するチューナと、
前記チューナの出力信号を復調して第１のベースバンド信号を生成するベースバンド復調部と、
マスタモード時は、スレーブモードに設定された１または２以上の他のデジタル放送受信装置から送信された１または２以上の第１の無線信号を受信および復調して１または２以上の第２のベースバンド信号を生成し、前記スレーブモード時は、前記マスタモードに設定された他のデジタル放送受信装置から送信された第２の無線信号を受信および復調して第３のベースバンド信号を生成する無線受信部と、
前記第１のベースバンド信号と前記１または２以上の第２のベースバンド信号を合成してエラーの少ない第４のベースバンド信号を生成するベースバンド合成部と、
前記マスタモード時は、前記第４のベースバンド信号を復調して第１のパケット列を生成し、前記スレーブモード時は、前記第３のベースバンド信号を復調して第２のパケット列を生成し、シングルモード時は、前記第１のベースバンド信号を復調して第３のパケット列を生成するパケット復調部と、
前記第１〜第３のパケット列を復号してデジタル放送信号を生成するデジタル放送復号部と、
前記マスタモード時は、前記第４のベースバンド信号を前記第２の無線信号に変換して前記スレーブモードに設定された他のデジタル放送受信装置に送信し、前記スレーブモード時は、前記第１のベースバンド信号を前記第１の無線信号に変換して前記マスタモードに設定された他のデジタル放送受信装置に送信する無線送信部とを備える、デジタル放送受信装置。
【請求項３】
順序を示す連続指標とエラーの有無を示すフラグとを有するパケットを用いたデジタル放送を受信するデジタル放送受信装置であって、
放送局から送信された高周波信号を受信するチューナと、
前記チューナの出力信号を復調して第１のベースバンド信号を生成するベースバンド復調部と、
マスタモード時は、スレーブモードに設定された１または２以上の他のデジタル放送受信装置から送信された１または２以上の第１の無線信号を受信および復調して１または２以上の第２のベースバンド信号を生成し、前記スレーブモード時は、前記マスタモードに設定された他のデジタル放送受信装置から送信された第２の無線信号を受信および復調して第１のパケット列を生成する無線受信部と、
前記第１のベースバンド信号と前記１または２以上の第２のベースバンド信号を合成してエラーの少ない第３のベースバンド信号を生成するベースバンド合成部と、
前記マスタモード時は、前記第３のベースバンド信号を復調して第２のパケット列を生成し、シングルモード時は、前記第１のベースバンド信号を復調して第３のパケット列を生成するパケット復調部と、
前記第１〜第３のパケット列を復号してデジタル放送信号を生成するデジタル放送復号部と、
前記マスタモード時は、前記第２のパケット列を前記第２の無線信号に変換して前記スレーブモードに設定された他のデジタル放送受信装置に送信し、前記スレーブモード時は、前記第１のベースバンド信号を前記第１の無線信号に変換して前記マスタモードに設定された他のデジタル放送受信装置に送信する無線送信部とを備える、デジタル放送受信装置。
【請求項４】
さらに、前記無線受信部および前記無線送信部を用いて他のデジタル放送受信装置と無線通信を行ない、その無線通信結果に基づいて前記デジタル放送受信装置を前記マスタモード、前記スレーブモード、前記シングルモードのうちのいずれかのモードに設定する制御部を備える、請求項１から請求項３までのいずれかに記載のデジタル放送受信装置。
【請求項５】
順序を示す連続指標とエラーの有無を示すフラグとを有するパケットを用いたデジタル放送を受信するデジタル放送受信システムであって、
第１のデジタル放送受信装置と１または２以上の第２のデジタル放送受信装置を備え、
前記第１のデジタル放送受信装置は、
放送局から送信された高周波信号を受信および復調して第１のパケット列を生成する第１の高周波受信部と、
前記１または２以上の第２のデジタル放送受信装置から送信された１または２以上の第１の無線信号を受信および復調して１または２以上の第２のパケット列を生成する第１の無線受信部と、
前記第１のパケット列と前記１または２以上の第２のパケット列を受け、同じ連続指標を有する複数のパケットのうちのエラーの無いパケットを選択するようにしてエラーの少ない第３のパケット列を生成するパケット合成部と、
前記第３のパケット列を復号して第１のデジタル放送信号を生成する第１のデジタル放送復号部と、
前記第３のパケット列を第２の無線信号に変換して前記１または２以上の第２のデジタル放送受信装置に送信する第１の無線送信部とを含み、
前記１または２以上の第２のデジタル放送受信装置の各々は、
前記放送局から送信された前記高周波信号を受信および復調して第４のパケット列を生成する第２の高周波受信部と、
前記第４のパケット列を前記第１の無線信号に変換して前記第１のデジタル放送受信装置に送信する第２の無線送信部と、
前記第１のデジタル放送受信装置から送信された前記第２の無線信号を受信および復調して第５のパケット列を生成する第２の無線受信部と、
前記第５のパケット列を復号して第２のデジタル放送信号を生成する第２のデジタル放送復号部とを含む、デジタル放送受信システム。
【請求項６】
順序を示す連続指標とエラーの有無を示すフラグとを有するパケットを用いたデジタル放送を受信するデジタル放送受信システムであって、
第１のデジタル放送受信装置と１または２以上の第２のデジタル放送受信装置を備え、
前記第１のデジタル放送受信装置は、
放送局から送信された高周波信号を受信する第１のチューナと、
前記第１のチューナの出力信号を復調して第１のベースバンド信号を生成する第１のベースバンド復調部と、
前記１または２以上の第２のデジタル放送受信装置から送信された１または２以上の第１の無線信号を受信および復調して１または２以上の第２のベースバンド信号を生成する第１の無線受信部と、
前記第１のベースバンド信号と前記１または２以上の第２のベースバンド信号を合成してエラーの少ない第３のベースバンド信号を生成するベースバンド合成部と、
前記第３のベースバンド信号を復調して第１のパケット列を生成する第１のパケット復調部と、
前記第１のパケット列を復号して第１のデジタル放送信号を生成する第１のデジタル放送復号部と、
前記第３のベースバンド信号を第２の無線信号に変換して前記１または２以上の第２のデジタル放送受信装置に送信する第１の無線送信部とを含み、
前記１または２以上の第２のデジタル放送受信装置の各々は、
前記放送局から送信された前記高周波信号を受信する第２のチューナと、
前記第２のチューナの出力信号を復調して第４のベースバンド信号を生成する第２のベースバンド復調部と、
前記第４のベースバンド信号を前記第１の無線信号に変換して前記第１のデジタル放送受信装置に送信する第２の無線送信部と、
前記第１のデジタル放送受信装置から送信された前記第２の無線信号を受信および復調して第５のベースバンド信号を生成する第２の無線受信部と、
前記第５のベースバンド信号を復調して第２のパケット列を生成する第２のパケット復調と、
前記第２のパケット列を復号して第２のデジタル放送信号を生成する第２のデジタル放送復号部とを含む、デジタル放送受信システム。
【請求項７】
順序を示す連続指標とエラーの有無を示すフラグとを有するパケットを用いたデジタル放送を受信するデジタル放送受信システムであって、
第１のデジタル放送受信装置と１または２以上の第２のデジタル放送受信装置を備え、
前記第１のデジタル放送受信装置は、
放送局から送信された高周波信号を受信する第１のチューナと、
前記第１のチューナの出力信号を復調して第１のベースバンド信号を生成する第１のベースバンド復調部と、
前記１または２以上の第２のデジタル放送受信装置から送信された１または２以上の第１の無線信号を受信および復調して１または２以上の第２のベースバンド信号を生成する第１の無線受信部と、
前記第１のベースバンド信号と前記１または２以上の第２のベースバンド信号を合成してエラーの少ない第３のベースバンド信号を生成するベースバンド合成部と、
前記第３のベースバンド信号を復調して第１のパケット列を生成するパケット復調部と、
前記第１のパケット列を復号して第１のデジタル放送信号を生成する第１のデジタル放送復号部と、
前記第１のパケット列を第２の無線信号に変換して前記１または２以上の第２のデジタル放送受信装置に送信する第１の無線送信部とを含み、
前記１または２以上の第２のデジタル放送受信装置の各々は、
前記放送局から送信された前記高周波信号を受信する第２のチューナと、
前記第２のチューナの出力信号を復調して第４のベースバンド信号を生成する第２のベースバンド復調部と、
前記第４のベースバンド信号を前記第１の無線信号に変換して前記第１のデジタル放送受信装置に送信する第２の無線送信部と、
前記第２のデジタル放送受信装置から送信された前記第２の無線信号を受信および復調して第２のパケット列を生成する第２の無線受信部と、
前記第２のパケット列を復号して第２のデジタル放送信号を生成する第２のデジタル放送復号部とを含む、デジタル放送受信システム。
【請求項８】
順序を示す連続指標とエラーの有無を示すフラグとを有するパケットを用いたデジタル放送を受信するデジタル放送受信システムであって、
パケット合成装置と複数のデジタル放送受信装置を備え、
前記パケット合成装置は、
前記複数のデジタル放送受信装置から送信された複数の第１の無線信号を受信および復調して複数の第１のパケット列を生成する第１の無線受信部と、
前記複数の第１のパケット列を受け、同じ連続指標を有する複数のパケットのうちのエラーの無いパケットを選択するようにしてエラーの少ない第２のパケット列を生成するパケット合成部と、
前記第２のパケット列を第２の無線信号に変換して前記複数の第２のデジタル放送受信装置に送信する第１の無線送信部とを含み、
前記複数の第２のデジタル放送受信装置の各々は、
放送局から送信された高周波信号を受信および復調して第３のパケット列を生成する高周波受信部と、
前記第３のパケット列を前記第１の無線信号に変換して前記パケット合成装置に送信する第２の無線送信部と、
前記パケット合成装置から送信された前記第２の無線信号を受信および復調して第４のパケット列を生成する第２の無線受信部と、
前記第４のパケット列を復号してデジタル放送信号を生成するデジタル放送復号部とを含む、デジタル放送受信システム。
【請求項９】
順序を示す連続指標とエラーの有無を示すフラグとを有するパケットを用いたデジタル放送を受信するデジタル放送受信システムであって、
ベースバンド合成装置と複数のデジタル放送受信装置を備え、
前記ベースバンド合成装置は、
前記複数のデジタル放送受信装置から送信された複数の第１の無線信号を受信および復調して複数の第１のベースバンド信号を生成する第１の無線受信部と、
前記複数の第１のベースバンド信号を合成してエラーの少ない第２のベースバンド信号を生成するベースバンド合成部と、
前記第２のベースバンド信号を第２の無線信号に変換して前記複数のデジタル放送受信装置に送信する第１の無線送信部と含み、
前記複数のデジタル放送受信装置の各々は、
放送局から送信された高周波信号を受信するチューナと、
前記チューナの出力信号を復調して第３のベースバンド信号を生成するベースバンド復調部と、
前記第３のベースバンド信号を前記第１の無線信号に変換して前記ベースバンド合成装置に送信する第２の無線送信部と、
前記ベースバンド合成装置から送信された前記第２の無線信号を受信および復調して第４のベースバンド信号を生成する第２の無線受信部と、
前記第４のベースバンド信号を復調してパケット列を生成するパケット復調部と、
前記パケット列を復号してデジタル放送信号を生成するデジタル放送復号部とを含む、デジタル放送受信システム。
【請求項１０】
順序を示す連続指標とエラーの有無を示すフラグとを有するパケットを用いたデジタル放送を受信するデジタル放送受信システムであって、
ベースバンド合成装置と複数のデジタル放送受信装置を備え、
前記ベースバンド合成装置は、
前記複数のデジタル放送受信装置から送信された複数の第１の無線信号を受信および復調して複数の第１のベースバンド信号を生成する第１の無線受信部と、
前記複数の第１のベースバンド信号を合成してエラーの少ない第２のベースバンド信号を生成するベースバンド合成部と、
前記第２のベースバンド信号を復調して第１のパケット列を生成するパケット復調部と、
前記第１のパケット列を第２の無線信号に変換して前記複数のデジタル放送受信装置に送信する第１の無線送信部とを含み、
前記複数のデジタル放送受信装置の各々は、
放送局から送信された高周波信号を受信するチューナと、
前記チューナの出力信号を復調して第３のベースバンド信号を生成するベースバンド復調部と、
前記第３のベースバンド信号を前記第１の無線信号に変換して前記ベースバンド合成装置に送信する第２の無線送信部と、
前記ベースバンド合成装置から送信された前記第２の無線信号を受信および復調して第２のパケット列を生成する第２の無線受信部と、
前記第２のパケット列を復号してデジタル放送信号を生成するデジタル放送復号部とを含む、デジタル放送受信システム。
【発明の詳細な説明】
【技術分野】
【０００１】
この発明はデジタル放送受信装置およびそれを用いたデジタル放送受信システムに関し、特に、順序を示す連続指標とエラーの有無を示すフラグとを有するパケットを用いたデジタル放送を受信するデジタル放送受信装置およびそれを用いたデジタル放送受信システムに関する。
【背景技術】
【０００２】
最近は携帯電話に地上デジタル放送受信装置が内蔵されたこともあり、電車の中でデジタル放送を視聴する人も多くなった。しかし、電車内などではフェージングなどにより電波環境が不安定であり、単一のチューナでは連続して良好な受信環境を保つことが困難である。この対策として、受信装置内に複数組のアンテナおよびチューナを設けてダイバシチ受信を行なうことが一般に知られている（たとえば、特許文献１参照）。
【特許文献１】特開２００６−３１１２５８号公報
【発明の開示】
【発明が解決しようとする課題】
【０００３】
しかし、ダイバシチ受信方式では、携帯電話機の内部に２組のチューナおよびアンテナを設置する必要があるので、基板上におけるチューナ、アンテナおよび付属回路の実装面積が増大し、携帯電話機の大型化、高価格化を招くという問題がある。
【０００４】
また、携帯電話機の小型化に伴ってテレビ放送受信用のダイバシチアンテナとして有効なアンテナ間距離を保つことが困難になり、所望のダイバシチ効果が得られ難くなっている。
【０００５】
それゆえに、この発明の主たる目的は、受信環境の安定化、装置の小型化および低価格化を図ることが可能なデジタル放送受信装置およびそれを用いたデジタル放送受信システムを提供することである。
【課題を解決するための手段】
【０００６】
この発明に係るデジタル放送受信装置は、順序を示す連続指標とエラーの有無を示すフラグとを有するパケットを用いたデジタル放送を受信するデジタル放送受信装置であって、放送局から送信された高周波信号を受信および復調して第１のパケット列を生成する高周波受信部と、マスタモード時は、スレーブモードに設定された１または２以上の他のデジタル放送受信装置から送信された１または２以上の第１の無線信号を受信および復調して１または２以上の第２のパケット列を生成し、スレーブモード時は、マスタモードに設定された他のデジタル放送受信装置から送信された第２の無線信号を受信および復調して第３のパケット列を生成する無線受信部と、第１のパケット列と１または２以上の第２のパケット列を受け、同じ連続指標を有する複数のパケットのうちのエラーの無いパケットを選択するようにしてエラーの少ない第４のパケット列を生成するパケット合成部と、マスタモード時は、第４のパケット列を復号してデジタル放送信号を生成し、スレーブモード時は、第３のパケット列を復号してデジタル放送信号を生成し、シングルモード時は、第１のパケット列を復号してデジタル放送信号を生成するデジタル放送復号部と、マスタモード時は、第４のパケット列を第２の無線信号に変換してスレーブモードに設定された他のデジタル放送受信装置に送信し、スレーブモード時は、第１のパケット列を第１の無線信号に変換してマスタモードに設定された他のデジタル放送受信装置に送信する無線送信部とを備えたものである。
【０００７】
また、この発明に係る他のデジタル放送受信装置は、順序を示す連続指標とエラーの有無を示すフラグとを有するパケットを用いたデジタル放送を受信するデジタル放送受信装置であって、放送局から送信された高周波信号を受信するチューナと、チューナの出力信号を復調して第１のベースバンド信号を生成するベースバンド復調部と、マスタモード時は、スレーブモードに設定された１または２以上の他のデジタル放送受信装置から送信された１または２以上の第１の無線信号を受信および復調して１または２以上の第２のベースバンド信号を生成し、スレーブモード時は、マスタモードに設定された他のデジタル放送受信装置から送信された第２の無線信号を受信および復調して第３のベースバンド信号を生成する無線受信部と、第１のベースバンド信号と１または２以上の第２のベースバンド信号を合成してエラーの少ない第４のベースバンド信号を生成するベースバンド合成部と、マスタモード時は、第４のベースバンド信号を復調して第１のパケット列を生成し、スレーブモード時は、第３のベースバンド信号を復調して第２のパケット列を生成し、シングルモード時は、第１のベースバンド信号を復調して第３のパケット列を生成するパケット復調部と、第１〜第３のパケット列を復号してデジタル放送信号を生成するデジタル放送復号部と、マスタモード時は、第４のベースバンド信号を第２の無線信号に変換してスレーブモードに設定された他のデジタル放送受信装置に送信し、スレーブモード時は、第１のベースバンド信号を第１の無線信号に変換してマスタモードに設定された他のデジタル放送受信装置に送信する無線送信部とを備えたものである。
【０００８】
また、この発明に係るさらに他のデジタル放送受信装置は、順序を示す連続指標とエラーの有無を示すフラグとを有するパケットを用いたデジタル放送を受信するデジタル放送受信装置であって、放送局から送信された高周波信号を受信するチューナと、チューナの出力信号を復調して第１のベースバンド信号を生成するベースバンド復調部と、マスタモード時は、スレーブモードに設定された１または２以上の他のデジタル放送受信装置から送信された１または２以上の第１の無線信号を受信および復調して１または２以上の第２のベースバンド信号を生成し、スレーブモード時は、マスタモードに設定された他のデジタル放送受信装置から送信された第２の無線信号を受信および復調して第１のパケット列を生成する無線受信部と、第１のベースバンド信号と１または２以上の第２のベースバンド信号を合成してエラーの少ない第３のベースバンド信号を生成するベースバンド合成部と、マスタモード時は、第３のベースバンド信号を復調して第２のパケット列を生成し、シングルモード時は、第１のベースバンド信号を復調して第３のパケット列を生成するパケット復調部と、第１〜第３のパケット列を復号してデジタル放送信号を生成するデジタル放送復号部と、マスタモード時は、第２のパケット列を第２の無線信号に変換してスレーブモードに設定された他のデジタル放送受信装置に送信し、スレーブモード時は、第１のベースバンド信号を第１の無線信号に変換してマスタモードに設定された他のデジタル放送受信装置に送信する無線送信部とを備えたものである。
【０００９】
また好ましくは、さらに、無線受信部および無線送信部を用いて他のデジタル放送受信装置と無線通信を行ない、その無線通信結果に基づいてデジタル放送受信装置をマスタモード、スレーブモード、シングルモードのうちのいずれかのモードに設定する制御部を備える。
【００１０】
また、この発明に係るデジタル放送受信システムは、順序を示す連続指標とエラーの有無を示すフラグとを有するパケットを用いたデジタル放送を受信するデジタル放送受信システムであって、第１のデジタル放送受信装置と１または２以上の第２のデジタル放送受信装置を備えたものである。第１のデジタル放送受信装置は、放送局から送信された高周波信号を受信および復調して第１のパケット列を生成する第１の高周波受信部と、１または２以上の第２のデジタル放送受信装置から送信された１または２以上の第１の無線信号を受信および復調して１または２以上の第２のパケット列を生成する第１の無線受信部と、第１のパケット列と１または２以上の第２のパケット列を受け、同じ連続指標を有する複数のパケットのうちのエラーの無いパケットを選択するようにしてエラーの少ない第３のパケット列を生成するパケット合成部と、第３のパケット列を復号して第１のデジタル放送信号を生成する第１のデジタル放送復号部と、第３のパケット列を第２の無線信号に変換して１または２以上の第２のデジタル放送受信装置に送信する第１の無線送信部とを含む。１または２以上の第２のデジタル放送受信装置の各々は、放送局から送信された高周波信号を受信および復調して第４のパケット列を生成する第２の高周波受信部と、第４のパケット列を第１の無線信号に変換して第１のデジタル放送受信装置に送信する第２の無線送信部と、第１のデジタル放送受信装置から送信された第２の無線信号を受信および復調して第５のパケット列を生成する第２の無線受信部と、第５のパケット列を復号して第２のデジタル放送信号を生成する第２のデジタル放送復号部とを含む。
【００１１】
また、この発明に係る他のデジタル放送受信システムは、順序を示す連続指標とエラーの有無を示すフラグとを有するパケットを用いたデジタル放送を受信するデジタル放送受信システムであって、第１のデジタル放送受信装置と１または２以上の第２のデジタル放送受信装置を備えたものである。第１のデジタル放送受信装置は、放送局から送信された高周波信号を受信する第１のチューナと、第１のチューナの出力信号を復調して第１のベースバンド信号を生成する第１のベースバンド復調部と、１または２以上の第２のデジタル放送受信装置から送信された１または２以上の第１の無線信号を受信および復調して１または２以上の第２のベースバンド信号を生成する第１の無線受信部と、第１のベースバンド信号と１または２以上の第２のベースバンド信号を合成してエラーの少ない第３のベースバンド信号を生成するベースバンド合成部と、第３のベースバンド信号を復調して第１のパケット列を生成する第１のパケット復調部と、第１のパケット列を復号して第１のデジタル放送信号を生成する第１のデジタル放送復号部と、第３のベースバンド信号を第２の無線信号に変換して１または２以上の第２のデジタル放送受信装置に送信する第１の無線送信部とを含む。１または２以上の第２のデジタル放送受信装置の各々は、放送局から送信された高周波信号を受信する第２のチューナと、第２のチューナの出力信号を復調して第４のベースバンド信号を生成する第２のベースバンド復調部と、第４のベースバンド信号を第１の無線信号に変換して第１のデジタル放送受信装置に送信する第２の無線送信部と、第１のデジタル放送受信装置から送信された第２の無線信号を受信および復調して第５のベースバンド信号を生成する第２の無線受信部と、第５のベースバンド信号を復調して第２のパケット列を生成する第２のパケット復調と、第２のパケット列を復号して第２のデジタル放送信号を生成する第２のデジタル放送復号部とを含む。
【００１２】
また、この発明に係るさらに他のデジタル放送受信システムは、順序を示す連続指標とエラーの有無を示すフラグとを有するパケットを用いたデジタル放送を受信するデジタル放送受信システムであって、第１のデジタル放送受信装置と１または２以上の第２のデジタル放送受信装置を備えたものである。第１のデジタル放送受信装置は、放送局から送信された高周波信号を受信する第１のチューナと、第１のチューナの出力信号を復調して第１のベースバンド信号を生成する第１のベースバンド復調部と、１または２以上の第２のデジタル放送受信装置から送信された１または２以上の第１の無線信号を受信および復調して１または２以上の第２のベースバンド信号を生成する第１の無線受信部と、第１のベースバンド信号と１または２以上の第２のベースバンド信号を合成してエラーの少ない第３のベースバンド信号を生成するベースバンド合成部と、第３のベースバンド信号を復調して第１のパケット列を生成するパケット復調部と、第１のパケット列を復号して第１のデジタル放送信号を生成する第１のデジタル放送復号部と、第１のパケット列を第２の無線信号に変換して１または２以上の第２のデジタル放送受信装置に送信する第１の無線送信部とを含む。１または２以上の第２のデジタル放送受信装置の各々は、放送局から送信された高周波信号を受信する第２のチューナと、第２のチューナの出力信号を復調して第４のベースバンド信号を生成する第２のベースバンド復調部と、第４のベースバンド信号を第１の無線信号に変換して第１のデジタル放送受信装置に送信する第２の無線送信部と、第２のデジタル放送受信装置から送信された第２の無線信号を受信および復調して第２のパケット列を生成する第２の無線受信部と、第２のパケット列を復号して第２のデジタル放送信号を生成する第２のデジタル放送復号部とを含む。
【００１３】
また、この発明に係るさらに他のデジタル放送受信システムは、順序を示す連続指標とエラーの有無を示すフラグとを有するパケットを用いたデジタル放送を受信するデジタル放送受信システムであって、パケット合成装置と複数のデジタル放送受信装置を備えたものである。パケット合成装置は、複数のデジタル放送受信装置から送信された複数の第１の無線信号を受信および復調して複数の第１のパケット列を生成する第１の無線受信部と、複数の第１のパケット列を受け、同じ連続指標を有する複数のパケットのうちのエラーの無いパケットを選択するようにしてエラーの少ない第２のパケット列を生成するパケット合成部と、第２のパケット列を第２の無線信号に変換して複数の第２のデジタル放送受信装置に送信する第１の無線送信部とを含む。複数の第２のデジタル放送受信装置の各々は、放送局から送信された高周波信号を受信および復調して第３のパケット列を生成する高周波受信部と、第３のパケット列を第１の無線信号に変換してパケット合成装置に送信する第２の無線送信部と、パケット合成装置から送信された第２の無線信号を受信および復調して第４のパケット列を生成する第２の無線受信部と、第４のパケット列を復号してデジタル放送信号を生成するデジタル放送復号部とを含む。
【００１４】
また、この発明に係るさらに他のデジタル放送受信システムは、順序を示す連続指標とエラーの有無を示すフラグとを有するパケットを用いたデジタル放送を受信するデジタル放送受信システムであって、ベースバンド合成装置と複数のデジタル放送受信装置を備えたものである。ベースバンド合成装置は、複数のデジタル放送受信装置から送信された複数の第１の無線信号を受信および復調して複数の第１のベースバンド信号を生成する第１の無線受信部と、複数の第１のベースバンド信号を合成してエラーの少ない第２のベースバンド信号を生成するベースバンド合成部と、第２のベースバンド信号を第２の無線信号に変換して複数のデジタル放送受信装置に送信する第１の無線送信部と含む。複数のデジタル放送受信装置の各々は、放送局から送信された高周波信号を受信するチューナと、チューナの出力信号を復調して第３のベースバンド信号を生成するベースバンド復調部と、第３のベースバンド信号を第１の無線信号に変換してベースバンド合成装置に送信する第２の無線送信部と、ベースバンド合成装置から送信された第２の無線信号を受信および復調して第４のベースバンド信号を生成する第２の無線受信部と、第４のベースバンド信号を復調してパケット列を生成するパケット復調部と、パケット列を復号してデジタル放送信号を生成するデジタル放送復号部とを含む。
【００１５】
また、この発明に係るさらに他のデジタル放送受信システムは、順序を示す連続指標とエラーの有無を示すフラグとを有するパケットを用いたデジタル放送を受信するデジタル放送受信システムであって、ベースバンド合成装置と複数のデジタル放送受信装置を備えたものである。ベースバンド合成装置は、複数のデジタル放送受信装置から送信された複数の第１の無線信号を受信および復調して複数の第１のベースバンド信号を生成する第１の無線受信部と、複数の第１のベースバンド信号を合成してエラーの少ない第２のベースバンド信号を生成するベースバンド合成部と、第２のベースバンド信号を復調して第１のパケット列を生成するパケット復調部と、第１のパケット列を第２の無線信号に変換して複数のデジタル放送受信装置に送信する第１の無線送信部とを含む。複数のデジタル放送受信装置の各々は、放送局から送信された高周波信号を受信するチューナと、チューナの出力信号を復調して第３のベースバンド信号を生成するベースバンド復調部と、第３のベースバンド信号を第１の無線信号に変換してベースバンド合成装置に送信する第２の無線送信部と、ベースバンド合成装置から送信された第２の無線信号を受信および復調して第２のパケット列を生成する第２の無線受信部と、第２のパケット列を復号してデジタル放送信号を生成するデジタル放送復号部とを含む。
【発明の効果】
【００１６】
以上のように、この発明に係るデジタル放送受信装置では、マスタモードとスレーブモードとシングルモードが設けられており、マスタモードに設定されたデジタル放送受信装置と、スレーブモードに設定された１または２以上のデジタル放送受信装置とで、ダイバシチ受信を実現することができ、受信環境の安定化を図ることができる。また、各デジタル放送受信装置には１組のアンテナおよびチューナを設ければよいので、装置の小型化および低価格化を図ることができる。
【００１７】
また、この発明に係るデジタル放送受信システムでは、第１のデジタル放送受信装置と、１または２以上のデジタル放送受信装置とで、ダイバシチ受信を実現することができ、受信環境の安定化を図ることができる。また、各デジタル放送受信装置には１組のアンテナおよびチューナを設ければよいので、装置の小型化および低価格化を図ることができる。
【００１８】
また、この発明に係る他のデジタル放送受信システムでは、パケット合成装置またはベースバンド合成装置と、複数のデジタル放送受信装置とで、ダイバシチ受信を実現することができ、受信環境の安定化を図ることができる。また、各デジタル放送受信装置には１組のアンテナおよびチューナを設ければよいので、装置の小型化および低価格化を図ることができる。
【発明を実施するための最良の形態】
【００１９】
[実施の形態１]
図１は、この発明の実施の形態１によるデジタル放送受信システムの構成を示すブロック図である。図１において、このデジタル放送受信システムは、マスタ型携帯電話機１とスレーブ型携帯電話機１１とを備える。
【００２０】
マスタ型携帯電話機１は、アンテナ２、チューナ３、ベースバンド（ＢＢ：Base Band）復調部４、ＦＥＣ（Forward Error Correction：前方誤り訂正）復調部５、ＴＳＰ（Transport Stream Packet)合成部６、無線受信部７、制御部８、無線送信部９、およびデジタル放送復号部１０を含む。チューナ３は、アンテナ２を介して、デジタルテレビ放送局からの電波（高周波信号）を受信する。ベースバンド復調部４は、チューナ３の出力信号を復調してベースバンド信号を生成する。ＦＥＣ復調部５は、ベースバンド信号を復調してＴＳパケット列ＴＳＰ（Ｍ）を生成する。
【００２１】
図２は、ＴＳパケットの構成を示す図である。このようなＴＳパケットは、たとえば非特許文献（ＡＲＩＢ  ＳＴＤ−Ｂ３２「デジタル放送における映像符号化、音声符号化および多重化方式」２．０版）に記載されている。図２において、ＴＳパケットは、１８８バイト単位で構成され、３２バイトのヘッダ部と１５６バイトのアダプテーションフィールド／ベイロード部とを含む。ヘッダ部は、同期バイト、トランスポートエラーインジケータ、ベイロードユニット開始インジケータ、ＰＩＤ、トランスポートスクランブル制御、アダプテーションフィールド制御、および連続性指標を含む。
【００２２】
トランスポートエラーインジケータは、ＴＳパケット内のビットエラーの有無を示すフラグであり、“１”の場合、少なくとも１つの訂正不可能なエラーがＴＳパケット内に存在することを示す。ＰＩＤは、ベイロードのデータの種類を識別するために使用する領域である。連続性指標は、同一のＰＩＤの値を持つＴＳパケットの順序を指定する領域であり、“００００”を開始値として１ずつ増加し、“１１１１”の次は“００００”に戻る。ただし、同一ＴＳパケットの連送は２回までとし、この場合当該値を増加させない。
【００２３】
したがって、トランスポートインジケータにより当該ＴＳパケットが利用可能かどうかを判断することができ、またＰＩＤおよび連続性指標を参照することにより複数の携帯電話機から送られてくるＴＳパケットにタイムラグが生じても同一のＴＳパケットを識別することができる。
【００２４】
図１に戻って、無線受信部７は、スレーブ型携帯電話機１１から送信された無線信号を受信し、その無線信号を復調してＴＳパケット列ＴＳＰ（Ｓ）を生成する。ＴＳＰ合成部６は、ＦＥＣ復調部５で生成されたＴＳパケット列ＴＳＰ（Ｍ）と、無線受信部７で生成されたＴＳパケット列ＴＳＰ（Ｓ）とを受け、同じ連続指標を有する複数のＴＳパケットのうちのエラーの無いＴＳパケットを選択し、選択したＴＳパケットを合成してエラーの少ないＴＳパケット列ＴＳＰ（Ｃ）を生成する。デジタル放送復号部１０は、ＴＳＰ合成部６で生成されたＴＳパケット列ＴＳＰ（Ｃ）を復号してデジタル放送信号を生成する。マスタ型携帯電話機１の画像表示装置（図示せず）は、デジタル放送信号に従ってテレビ番組を表示する。
【００２５】
また、無線送信部９は、ＴＳＰ合成部６で生成されたＴＳパケット列ＴＳＰ（Ｃ）を無線信号に変換し、その無線信号をスレーブ型携帯電話機１１に送信する。制御部８は、マスタ型携帯電話機１全体を制御する。また、制御部８は、マスタ型携帯電話機１の使用者がテレビ放送の視聴を開始した場合、無線受信部７および無線送信部９を使用して同じチャンネルが使用されているスレーブ型携帯電話機１１を検索し、そのようなスレーブ型携帯電話機１１とダイバーシチネットワークを形成してＴＳパケット列ＴＳＰ（Ｃ），ＴＳＰ（Ｓ）の授受を行なう。
【００２６】
また、スレーブ型携帯電話機１１は、アンテナ１２、チューナ１３、ベースバンド復調部１４、ＦＥＣ復調部１５、無線送信部１６、制御部１７、無線受信部１８、およびデジタル放送復号部１９を含む。チューナ１３は、アンテナ１２を介して、デジタルテレビ放送局からの電波（高周波信号）を受信する。ベースバンド復調部１４は、チューナ１３の出力信号を復調してベースバンド信号を生成する。ＦＥＣ復調部１５は、ベースバンド信号を復調してＴＳパケット列ＴＳＰ（Ｓ）を生成する。
【００２７】
無線送信部１６は、ＦＥＣ復調部１５で生成されたＴＳパケット列ＴＳＰ（Ｓ）を無線信号に変換し、その無線信号をマスタ型携帯電話機１に送信する。無線受信部１８は、マスタ型携帯電話機１から送信された無線信号を受信し、その無線信号を復調してＴＳパケット列ＴＳＰ（Ｃ）を生成する。デジタル放送復号部１９は、無線受信部１８で生成されたＴＳパケット列ＴＳＰ（Ｃ）を復号してデジタル放送信号を生成する。スレーブ型携帯電話機１１の画像表示装置（図示せず）は、デジタル放送信号に従ってテレビ番組を表示する。
【００２８】
制御部１７は、スレーブ型携帯電話機１１全体を制御する。また、制御部１７は、スレーブ型携帯電話機１１の使用者がテレビ放送の視聴を開始した場合、無線送信部１６および無線受信部１８を使用して同じチャンネルが使用されているマスタ型携帯電話機１を検索し、そのようなマスタ型携帯電話機１とダイバーシチネットワークを形成してＴＳパケット列ＴＳＰ（Ｓ），ＴＳＰ（Ｃ）の授受を行なう。
【００２９】
図３は、このデジタル放送受信システムの動作を説明するための図である。図３において、携帯電話機の無線通信可能範囲内に、１台のマスタ型携帯電話機１と、複数台（図では３台）のスレーブ型携帯電話機２１〜２３が存在しており、携帯電話機１，２１〜２３は同じチャンネルの番組の視聴に使用されているものとする。
【００３０】
スレーブ型携帯電話機２１〜２３からマスタ型携帯電話機１に対して、無線信号に変換されたＴＳパケット列ＴＳＰ（Ｓ１）〜ＴＳＰ（Ｓ３）が送信される。マスタ型携帯電話機１は、図４に示すように、それ自身がデジタルテレビ放送局から受信したＴＳパケット列ＴＳＰ（Ｍ）と、スレーブ型携帯電話機２１〜２３から送信されたＴＳパケット列ＴＳＰ（Ｓ１）〜ＴＳＰ（Ｓ３）とを合成して、エラーの少ないＴＳパケット列ＴＳＰ（Ｃ）を生成する。
【００３１】
図４では、ＴＳパケット列ＴＳＰ（Ｍ）の１番目（“０００１”）のエラーの無いＴＳパケットと、ＴＳパケット列ＴＳＰ（Ｓ２）の２番目（“０００１”）のエラーの無いＴＳパケットと、ＴＳパケット列ＴＳＰ（Ｓ１）の３番目（“００１１”）のエラーの無いＴＳパケットとを合成して、エラーの少ないＴＳパケット列ＴＳＰ（Ｃ）を生成した場合が例示されている。
【００３２】
図３に戻って、マスタ型携帯電話機１は、エラーの少ないＴＳパケット列ＴＳＰ（Ｃ）をスレーブ型携帯電話機２１〜２３の各々に送信する。携帯電話機１，２１〜２３の各々は、エラーの少ないＴＳパケット列ＴＳＰ（Ｃ）に基づいてテレビ放送を再生する。したがって、全ての携帯電話機１，２１〜２３において良好なテレビ放送を視聴することができる。しかも、各携帯電話機には１組のアンテナおよびチューナを設ければよいので、携帯電話機が大型化したり、高価になることもない。
【００３３】
なお、携帯電話機の無線通信装置（無線受信部７，１８、無線送信部９，１６）としては、地上デジタル放送視聴中にはあまり使用されることのない無線通信装置、たとえば通話に使用するＷ−ＣＤＭＡ方式などの携帯電話と基地局を結ぶ無線通信装置や、ブルーツース（Bluetooth)方式などの基地局を介さずに近接機器間を結ぶ無線通信装置を使用することができる。地上デジタル放送の携帯電話機向け放送であるワンセグ放送におけるＴＳパケットのビットレートは最大約４２０Ｋｂｐｓであるので、１〜数Ｍｂｐｓのキャリア速度しかないブルーツース方式の無線通信装置を用いても実用に耐えうるダイバシチネットワークを構築することができる。
【００３４】
図５は、この実施の形態１の変更例を示す図である。図５において、この変更例では、マスタ型携帯電話機１の代わりに、あるいは実施の形態１のデジタル放送受信システムに加えて、パケット合成装置２４が用いられる。パケット合成装置２４は、図１で示したＴＳＰ合成部６、無線受信部７、制御部８、および無線送信部９を備え、電車の車両内などに設置される。
【００３５】
無線受信部７は、複数のスレーブ型携帯電話機１１から送信された複数の無線信号を受信し、それらの無線信号を復調して複数のＴＳパケット列ＴＳＰ（Ｓ）を生成する。ＴＳＰ合成部６は、無線受信部７で生成された複数のＴＳパケット列ＴＳＰ（Ｓ）を受け、同じ連続指標を有する複数のＴＳパケットのうちのエラーの無いＴＳパケットを選択し、選択したＴＳパケットを合成してエラーの少ないＴＳパケット列ＴＳＰ（Ｃ）を生成する。
【００３６】
また、無線送信部９は、ＴＳＰ合成部６で生成されたＴＳパケット列ＴＳＰ（Ｃ）を無線信号に変換し、その無線信号を各スレーブ型携帯電話機１１に送信する。制御部８は、パケット合成装置２４全体を制御する。また、制御部８は、無線受信部７および無線送信部９を使用して同じチャンネルが使用されている複数のスレーブ型携帯電話機１１を検索し、そのような複数のスレーブ型携帯電話機１１とダイバーシチネットワークを形成してＴＳパケット列ＴＳＰ（Ｃ），ＴＳＰ（Ｓ）の授受を行なう。この変更例でも、実施の形態１と同じ効果が得られる。
【００３７】
[実施の形態２]
図６（ａ）は、この発明の実施の形態２によるデジタル放送受信システムで使用される携帯電話機２５の構成を示す回路ブロック図であり、同図（ｂ）は携帯電話機２５の動作を示す図である。
【００３８】
図６（ａ）（ｂ）において、この携帯電話機２５が図１のマスタ型携帯電話機１と異なる点は、スイッチＳＷ１〜ＳＷ３が追加され、マスタモードとスレーブモードとシングルモードとが切換可能になっている点である。
【００３９】
スイッチＳＷ１の第１切換端子ＡはＦＥＣ復調部５で生成されたＴＳパケット列ＴＳＰ（Ｓ）またはＴＳＰ（Ｍ）を受け、その第２切換端子ＢはスイッチＳＷ２の共通端子Ｃに接続され、その共通端子Ｃはデジタル放送復号部１０に接続される。スイッチＳＷ２の第１切換端子Ａは無線受信部７で生成されたＴＳパケット列ＴＳＰ（Ｃ）またはＴＳＰ（Ｓ）を受け、その第２切換端子ＢはＴＳＰ合成部６で生成されたＴＳパケット列ＴＳＰ（Ｃ）を受ける。
【００４０】
スイッチＳＷ３の第１切換端子ＡはＴＳＰ合成部６で生成されたＴＳパケット列ＴＳＰ（Ｃ）を受け、その第２切換端子ＢはＦＥＣ復調部５で生成されたＴＳパケット列ＴＳＰ（Ｓ）またはＴＳＰ（Ｍ）を受け、その共通端子Ｃは無線送信部９に接続される。スイッチＳＷ１〜ＳＷ３は、制御部８によって制御される。
【００４１】
制御部８は、当該携帯電話機２５の使用者がテレビ放送の視聴を開始した場合、無線受信部７および無線送信部９を使用して同じチャンネルが視聴されている他の携帯電話機２５を検索する。そのような他の携帯電話機２５が存在する場合は、そのような他の携帯電話機２５と協議してマスタ装置となるかスレーブ装置となるかを決定する。当該携帯電話機２５をマスタ装置とする場合はマスタモードを設定し、当該携帯電話機２５をスレーブ装置とする場合はスレーブモードを設定する。また、そのような他の携帯電話機２５が存在しない場合は、当該携帯電話機２５をシングルモードに設定する。
【００４２】
図６（ｂ）に示すように、シングルモード時は、ＴＳＰ合成部６が非活性化されるとともに、スイッチＳＷ１の端子Ａ，Ｃ間が導通し、ＦＥＣ復調部５で生成されたＴＳパケット列ＴＳＰ（Ｍ）がスイッチＳＷ１を介してデジタル放送復号部１０に与えられる。スイッチＳＷ２，ＳＷ３は使用されない（ＮＡ：not applicable）。この場合、携帯電話機２５は従来の携帯電話機と同じ構成となる。また、ＴＳＰ合成部６が非活性化されて消費電力の低減化が図られる。
【００４３】
スレーブモード時は、ＴＳＰ合成部６が非活性化され、スイッチＳＷ１の端子Ｂ，Ｃ間が導通し、スイッチＳＷ２の端子Ａ，Ｃ間が導通し、スイッチＳＷ３の端子Ｂ，Ｃ間が導通する。無線受信部７は、マスタモードに設定された他の携帯電話機２５からの無線信号を復調してＴＳパケット列ＴＳＰ（Ｃ）を生成する。このＴＳパケット列ＴＳＰ（Ｃ）は、スイッチＳＷ２，ＳＷ１を介してデジタル放送復号部１０に与えられる。また、ＦＥＣ復調部５で生成されたＴＳパケット列ＴＳＰ（Ｓ）は、スイッチＳＷ３を介して無線送信部９に与えられ、無線送信部９で無線信号に変換されてマスタモードに設定された他の携帯電話機２５に送信される。
【００４４】
マスタモード時は、ＴＳＰ合成部６が活性化され、スイッチＳＷ１の端子Ｂ，Ｃ間が導通し、スイッチＳＷ２の端子Ｂ，Ｃ間が導通し、スイッチＳＷ３の端子Ａ，Ｃ間が導通する。無線受信部７は、スレーブモードに設定された他の携帯電話機２５からの無線信号を復調してＴＳパケット列ＴＳＰ（Ｓ）を生成する。
【００４５】
ＴＳＰ合成部６は、ＦＥＣ復調部５で生成されたＴＳパケット列ＴＳＰ（Ｍ）と、無線受信部７で生成されたＴＳパケット列ＴＳＰ（Ｓ）とを受け、同じ連続指標を有する複数のＴＳパケットのうちのエラーの無いＴＳパケットを選択し、選択したＴＳパケットを合成してエラーの少ないＴＳパケット列ＴＳＰ（Ｃ）を生成する。このＴＳパケット列ＴＳＰ（Ｃ）は、スイッチＳＷ２，ＳＷ１を介してデジタル放送復号部１０に与えられるとともに、スイッチＳＷ３を介して無線送信部９に与えられ、無線送信部９で無線信号に変換されてスレーブモードに設定された他の携帯電話機２５に送信される。
【００４６】
この実施の形態２でも、実施の形態１と同じ効果が得られる。また、各携帯電話機２５がマスタ型携帯電話機とスレーブ型携帯電話機のいずれにもなり得るので、受信環境の一層の安定化を図ることができる。また、シングルモードに設定することにより、消費電力の低減化を図ることができる。
【００４７】
なお、図６では、図面および説明の簡単化のためハードウェアであるスイッチＳＷ１〜ＳＷ３を用いてモードの切換を行なったが、ソフトウェアによってモードの切換を行ってもよい。また、ＴＳＰ合成部６は、ハードウェアで実現してもよいし、ソフトウェアで実現してもよい。
【００４８】
[実施の形態３]
図７は、この発明の実施の形態３によるデジタル放送受信システムの構成を示すブロック図であって、図１と対比される図である。図７において、このデジタル放送受信システムは、マスタ型携帯電話機３０とスレーブ型携帯電話機３２とを備える。
【００４９】
マスタ型携帯電話機３０がマスタ型携帯電話機１と異なる点は、ＴＳＰ合成部６がベースバンド合成部３１で置換されている点である。無線受信部７は、スレーブ型携帯電話機３２から送信された無線信号を受信し、その無線信号を復調してベースバンド信号ＢＢ（Ｓ）を生成する。ベースバンド合成部３１は、ベースバンド復調部４で生成されたベースバンド信号ＢＢ（Ｍ）と、無線受信部７で生成されたベースバンド信号ＢＢ（Ｓ）とを合成してエラーの少ないベースバンド信号ＢＢ（Ｃ）を生成する。
【００５０】
ＦＥＣ復調部５は、ベースバンド信号ＢＢ（Ｃ）を復号してエラーの少ないＴＳパケット列ＴＳＰ（Ｃ）を生成する。デジタル放送復号部１０は、ＴＳパケット列ＴＳＰ（Ｃ）を復号してデジタル放送信号を生成する。マスタ型携帯電話機３０の画像表示装置（図示せず）は、デジタル放送信号に従ってテレビ番組を表示する。無線送信部９は、ベースバンド合成部３１で生成されたベースバンド信号ＢＢ（Ｃ）を無線信号に変換し、その無線信号をスレーブ型携帯電話機３２に送信する。
【００５１】
制御部８は、マスタ型携帯電話機３０全体を制御する。また、制御部８は、マスタ型携帯電話機３０の使用者がテレビ放送の視聴を開始した場合、無線受信部７および無線送信部９を使用して同じチャンネルが使用されているスレーブ型携帯電話機３２を検索し、そのようなスレーブ型携帯電話機３２とダイバーシチネットワークを形成してベースバンド信号ＢＢ（Ｃ），ＢＢ（Ｓ）の授受を行なう。
【００５２】
また、スレーブ型携帯電話機３２がスレーブ型携帯電話機１１と異なる点は、無線送信部１６および無線受信部１８がベースバンド復調部１４とＦＥＣ復調部１５の間に配置されている点である。無線送信部１６は、ベースバンド復調部１４で生成されたベースバンド信号ＢＢ（Ｓ）を無線信号に変換し、その無線信号をマスタ型携帯電話機３０に送信する。
【００５３】
無線受信部１８は、マスタ型携帯電話機３０から送信された無線信号を受信し、その無線信号を復調してベースバンド信号ＢＢ（Ｃ）を生成する。ＦＥＣ復調部１５は、ベースバンド信号ＢＢ（Ｃ）を復号してエラーの少ないＴＳパケット列ＴＳＰ（Ｃ）を生成する。デジタル放送復号部１９は、ＴＳパケット列ＴＳＰ（Ｃ）を復号してデジタル放送信号を生成する。スレーブ型携帯電話機３２の画像表示装置（図示せず）は、デジタル放送信号に従ってテレビ番組を表示する。
【００５４】
制御部１７は、スレーブ型携帯電話機３２全体を制御する。また、制御部１７は、スレーブ型携帯電話機３２の使用者がテレビ放送の視聴を開始した場合、無線送信部１６および無線受信部１８を使用して同じチャンネルが使用されているマスタ型携帯電話機３０を検索し、そのようなマスタ型携帯電話機３０とダイバーシチネットワークを形成してベースバンド信号ＢＢ（Ｓ），ＢＢ（Ｃ）の授受を行なう。
【００５５】
図８は、このデジタル放送受信システムの動作を説明するための図である。図８において、携帯電話機の無線通信可能範囲内に、１台のマスタ型携帯電話機３０と、複数台（図では３台）のスレーブ型携帯電話機４１〜４３が存在しており、携帯電話機３０，４１〜４３は同じチャンネルの番組の視聴に使用されているものとする。
【００５６】
スレーブ型携帯電話機４１〜４３からマスタ型携帯電話機３０に対して、無線信号に変換されたベースバンド信号ＢＢ（Ｓ１）〜ＢＢ（Ｓ３）が送信される。マスタ型携帯電話機３０は、それ自身がデジタルテレビ放送局から受信したベースバンド信号ＢＢ（Ｍ）と、スレーブ型携帯電話機４１〜４３から送信されたベースバンド信号ＢＢ（Ｓ１）〜ＢＢ（Ｓ３）とを合成して、エラーの少ないベースバンド信号ＢＢ（Ｃ）を生成する。
【００５７】
マスタ型携帯電話機３０は、エラーの少ないベースバンド信号ＢＢ（Ｃ）をスレーブ型携帯電話機４１〜４３の各々に送信する。携帯電話機３０，４１〜４３の各々は、エラーの少ないベースバンド信号ＢＢ（Ｃ）に基づいてテレビ放送を再生する。したがって、全ての携帯電話機３０，４１〜４３において良好なテレビ放送を視聴することができる。しかも、各携帯電話機には１組のアンテナおよびチューナを設ければよいので、携帯電話機が大型化したり、高価になることもない。
【００５８】
なお、携帯電話機と基地局との通信回線はブルーツース方式の通信回線に比べて非常に高速であるので、ＴＳパケット列よりもビットレートが高いベースバンド信号を携帯電話機間で授受してダイバーシチ合成することは可能である。
【００５９】
図９は、この実施の形態３の変更例を示す図である。図９において、この変更例では、マスタ型携帯電話機３０の代わりに、あるいは実施の形態３のデジタル放送受信システムに加えて、ベースバンド合成装置４４が用いられる。ベースバンド合成装置４４は、図７で示したベースバンド合成部３１、無線受信部７、制御部８、および無線送信部９を備え、電車の車両内などに設置される。
【００６０】
無線受信部７は、複数のスレーブ型携帯電話機３２から送信された複数の無線信号を受信し、それらの無線信号を復調して複数のベースバンド信号ＢＢ（Ｓ）を生成する。ベースバンド合成部３１は、無線受信部７で生成された複数のベースバンド信号ＢＢ（Ｓ）を合成してエラーの少ないベースバンド信号ＢＢ（Ｃ）を生成する。
【００６１】
また、無線送信部９は、ベースバンド合成部３１で生成されたベースバンド信号ＢＢ（Ｃ）を無線信号に変換し、その無線信号を各スレーブ型携帯電話機３２に送信する。制御部８は、ベースバンド合成装置４４全体を制御する。また、制御部８は、無線受信部７および無線送信部９を使用して同じチャンネルが使用されている複数のスレーブ型携帯電話機３２を検索し、そのような複数のスレーブ型携帯電話機３２とダイバーシチネットワークを形成してベースバンド信号ＢＢ（Ｃ），ＢＢ（Ｓ）の授受を行なう。この変更例でも、実施の形態３と同じ効果が得られる。
【００６２】
[実施の形態４]
図１０（ａ）は、この発明の実施の形態４によるデジタル放送受信システムで使用される携帯電話機４５の構成を示す回路ブロック図であり、同図（ｂ）は携帯電話機４５の動作を示す図である。
【００６３】
図１０（ａ）（ｂ）において、この携帯電話機４５が図７のマスタ型携帯電話機３０と異なる点は、スイッチＳＷ１１〜ＳＷ１３が追加され、マスタモードとスレーブモードとシングルモードとが切換可能になっている点である。
【００６４】
スイッチＳＷ１１の第１切換端子Ａはベースバンド復調部４で生成されたベースバンド信号ＢＢ（Ｓ）またはＢＢ（Ｍ）を受け、その第２切換端子ＢはスイッチＳＷ１２の共通端子Ｃに接続され、その共通端子ＣはＦＥＣ復調部５に接続される。スイッチＳＷ１２の第１切換端子Ａは無線受信部７で生成されたベースバンド信号ＢＢ（Ｃ）またはＢＢ（Ｓ）を受け、その第２切換端子ＢはＢＢ合成部３１で生成されたベースバンド信号ＢＢ（Ｃ）を受ける。
【００６５】
スイッチＳＷ１３の第１切換端子Ａはベースバンド合成部３１で生成されたベースバンド信号ＢＢ（Ｃ）を受け、その第２切換端子Ｂはベースバンド復調部４で生成されたベースバンド信号ＢＢ（Ｓ）またはＢＢ（Ｍ）を受け、その共通端子Ｃは無線送信部９に接続される。スイッチＳＷ１１〜ＳＷ１３は、制御部８によって制御される。
【００６６】
制御部８は、当該携帯電話機４５の使用者がテレビ放送の視聴を開始した場合、無線受信部７および無線送信部９を使用して同じチャンネルが視聴されている他の携帯電話機４５を検索する。そのような他の携帯電話機４５が存在する場合は、そのような他の携帯電話機４５と協議してマスタ装置となるかスレーブ装置となるかを決定する。当該携帯電話機４５をマスタ装置とする場合はマスタモードを設定し、当該携帯電話機４５をスレーブ装置とする場合はスレーブモードを設定する。また、そのような他の携帯電話機４５が存在しない場合は、当該携帯電話機４５をシングルモードに設定する。
【００６７】
図１０（ｂ）に示すように、シングルモード時は、ベースバンド合成部３１が非活性化されるとともに、スイッチＳＷ１１の端子Ａ，Ｃ間が導通し、ベースバンド復調部４で生成されたベースバンド信号ＢＢ（Ｍ）がスイッチＳＷ１１を介してＦＥＣ復調部５に与えられる。スイッチＳＷ１２，ＳＷ１３は使用されない（ＮＡ）。この場合、携帯電話機４５は従来の携帯電話機と同じ構成となる。また、ベースバンド合成部３１が非活性化されて消費電力の低減化が図られる。
【００６８】
スレーブモード時は、ベースバンド合成部３１が非活性化され、スイッチＳＷ１１の端子Ｂ，Ｃ間が導通し、スイッチＳＷ１２の端子Ａ，Ｃ間が導通し、スイッチＳＷ１３の端子Ｂ，Ｃ間が導通する。無線受信部７は、マスタモードに設定された他の携帯電話機４５からの無線信号を復調してベースバンド信号ＢＢ（Ｃ）を生成する。このベースバンド信号ＢＢ（Ｃ）は、スイッチＳＷ２，ＳＷ１を介してＦＥＣ復調部５に与えられる。また、ベースバンド復調部４で生成されたベースバンド信号ＢＢ（Ｓ）は、スイッチＳＷ１３を介して無線送信部９に与えられ、無線送信部９で無線信号に変換されてマスタモードに設定された他の携帯電話機４５に送信される。
【００６９】
マスタモード時は、ベースバンド合成部３１が活性化され、スイッチＳＷ１１の端子Ｂ，Ｃ間が導通し、スイッチＳＷ１２の端子Ｂ，Ｃ間が導通し、スイッチＳＷ１３の端子Ａ，Ｃ間が導通する。無線受信部７は、スレーブモードに設定された他の携帯電話機４５からの無線信号を復調してベースバンド信号ＢＢ（Ｓ）を生成する。
【００７０】
ベースバンド合成部３１は、ベースバンド復調部４で生成されたベースバンド信号ＢＢ（Ｍ）と、無線受信部７で生成されたベースバンド信号ＢＢ（Ｓ）とを合成してエラーの少ないベースバンド信号ＢＢ（Ｃ）を生成する。このベースバンド信号ＢＢ（Ｃ）は、スイッチＳＷ１２，ＳＷ１１を介してＦＥＣ復調部５に与えられるとともに、スイッチＳＷ１３を介して無線送信部９に与えられ、無線送信部９で無線信号に変換されてスレーブモードに設定された他の携帯電話機４５に送信される。
【００７１】
この実施の形態４でも、実施の形態３と同じ効果が得られる。また、各携帯電話機４５がマスタ型携帯電話機とスレーブ型携帯電話機のいずれにもなり得るので、受信環境の一層の安定化を図ることができる。また、シングルモードに設定することにより、消費電力の低減化を図ることができる。
【００７２】
なお、図１０では、図面および説明の簡単化のためハードウェアであるスイッチＳＷ１１〜ＳＷ１３を用いてモードの切換を行なったが、ソフトウェアによってモードの切換を行ってもよい。また、ベースバンド合成部３１は、ハードウェアで実現してもよいし、ソフトウェアで実現してもよい。
【００７３】
[実施の形態５]
図１１は、この発明の実施の形態５によるデジタル放送受信システムの構成を示すブロック図であって、図７と対比される図である。図１１において、このデジタル放送受信システムは、マスタ型携帯電話機５０とスレーブ型携帯電話機５１とを備える。
【００７４】
マスタ型携帯電話機５０がマスタ型携帯電話機３０と異なる点は、無線送信部９がベースバンド合成部３１で生成されたベースバンド信号ＢＢ（Ｃ）の代わりにＦＥＣ復調部５で生成されたＴＳパケット列ＴＳＰ（Ｃ）を受ける点である。無線送信部９は、ＦＥＣ復調部５で生成されたＴＳパケット列ＴＳＰ（Ｃ）を無線信号に変換し、その無線信号をスレーブ型携帯電話機５１に送信する。
【００７５】
制御部８は、マスタ型携帯電話機５０全体を制御する。また、制御部８は、マスタ型携帯電話機５０の使用者がテレビ放送の視聴を開始した場合、無線受信部７および無線送信部９を使用して同じチャンネルが使用されているスレーブ型携帯電話機５１を検索し、そのようなスレーブ型携帯電話機５１とダイバーシチネットワークを形成してＴＳパケット列ＴＳＰ（Ｃ）およびベースバンド信号ＢＢ（Ｓ）の授受を行なう。
【００７６】
また、スレーブ型携帯電話機５１がスレーブ型携帯電話機３２と異なる点は、ＦＥＣ復調部１５が除去され、無線受信部１８がデジタル放送復号部１９に直接接続されている点である。デジタル放送復号部１９は、無線受信部１８で生成されたＴＳパケット列ＴＳＰ（Ｃ）を復号してデジタル放送信号を生成する。スレーブ型携帯電話機５１の画像表示装置（図示せず）は、デジタル放送信号に従ってテレビ番組を表示する。
【００７７】
制御部１７は、スレーブ型携帯電話機５１全体を制御する。また、制御部１７は、スレーブ型携帯電話機５１の使用者がテレビ放送の視聴を開始した場合、無線送信部１６および無線受信部１８を使用して同じチャンネルが使用されているマスタ型携帯電話機５０を検索し、そのようなマスタ型携帯電話機５０とダイバーシチネットワークを形成してベースバンド信号ＢＢ（Ｓ）およびＴＳパケット列ＴＳＰ（Ｃ）の授受を行なう。
【００７８】
図１２は、このデジタル放送受信システムの動作を説明するための図である。図１２において、携帯電話機の無線通信可能範囲内に、１台のマスタ型携帯電話機５０と、複数台（図では３台）のスレーブ型携帯電話機６１〜６３が存在しており、携帯電話機５０，６１〜６３は同じチャンネルの番組の視聴に使用されているものとする。
【００７９】
スレーブ型携帯電話機６１〜６３からマスタ型携帯電話機５０に対して、無線信号に変換されたベースバンド信号ＢＢ（Ｓ１）〜ＢＢ（Ｓ３）が送信される。マスタ型携帯電話機５０は、それ自身がデジタルテレビ放送局から受信したベースバンド信号ＢＢ（Ｍ）と、スレーブ型携帯電話機６１〜６３から送信されたベースバンド信号ＢＢ（Ｓ１）〜ＢＢ（Ｓ３）とを合成して、エラーの少ないベースバンド信号ＢＢ（Ｃ）を生成する。また、マスタ型携帯電話機５０は、そのベースバンド信号ＢＢ（Ｃ）を復調して、エラーの少ないＴＳパケット列ＴＳＰ（Ｃ）生成する。
【００８０】
マスタ型携帯電話機５０は、エラーの少ないＴＳパケット列ＴＳＰ（Ｃ）をスレーブ型携帯電話機６１〜６３の各々に送信する。携帯電話機５０，６１〜６３の各々は、エラーの少ないＴＳパケット列ＴＳＰ（Ｃ）に基づいてテレビ放送を再生する。したがって、全ての携帯電話機５０，６１〜６３において良好なテレビ放送を視聴することができる。しかも、各携帯電話機には１組のアンテナおよびチューナを設ければよいので、携帯電話機が大型化したり、高価になることもない。
【００８１】
なお、携帯電話機と基地局との通信回線はブルーツース方式の通信回線に比べて非常に高速であるので、ＴＳパケット列やベースバンド信号を携帯電話機間で授受してダイバーシチ合成することは可能である。
【００８２】
図１３は、この実施の形態５の変更例を示す図である。図１３において、この変更例では、マスタ型携帯電話機５０の代わりに、あるいは実施の形態５のデジタル放送受信システムに加えて、ベースバンド合成装置６４が用いられる。ベースバンド合成装置６４は、図１１で示したベースバンド合成部３１、ＦＥＣ復調部５、無線受信部７、制御部８、および無線送信部９を備え、電車の車両内などに設置される。
【００８３】
無線受信部７は、複数のスレーブ型携帯電話機５１から送信された複数の無線信号を受信し、それらの無線信号を復調して複数のベースバンド信号ＢＢ（Ｓ）を生成する。ベースバンド合成部３１は、無線受信部７で生成された複数のベースバンド信号ＢＢ（Ｓ）を合成してエラーの少ないベースバンド信号ＢＢ（Ｃ）を生成する。ＦＥＣ復調部５は、そのベースバンド信号ＢＢ（Ｃ）を復調して、エラーの少ないＴＳパケット列ＴＳＰ（Ｃ）生成する。
【００８４】
また、無線送信部９は、ＦＥＣ復調部５で生成されたＴＳパケット列ＴＳＰ（Ｃ）を無線信号に変換し、その無線信号を各スレーブ型携帯電話機５１に送信する。制御部８は、ベースバンド合成装置６４全体を制御する。また、制御部８は、無線受信部７および無線送信部９を使用して同じチャンネルが使用されている複数のスレーブ型携帯電話機５１を検索し、そのような複数のスレーブ型携帯電話機５１とダイバーシチネットワークを形成してＴＳパケット列ＴＳＰ（Ｃ）およびベースバンド信号ＢＢ（Ｓ）の授受を行なう。この変更例でも、実施の形態５と同じ効果が得られる。
【００８５】
[実施の形態６]
図１４（ａ）は、この発明の実施の形態６によるデジタル放送受信システムで使用される携帯電話機６５の構成を示す回路ブロック図であり、同図（ｂ）は携帯電話機６５の動作を示す図である。
【００８６】
図１４（ａ）（ｂ）において、この携帯電話機６５が図１１のマスタ型携帯電話機５０と異なる点は、スイッチＳＷ２１〜ＳＷ２３が追加され、マスタモードとスレーブモードとシングルモードとが切換可能になっている点である。
【００８７】
スイッチＳＷ２１の第１切換端子Ａはベースバンド復調部４で生成されたベースバンド信号ＢＢ（Ｍ）またはＢＢ（Ｓ）を受け、その第２切換端子ＢはＦＥＣ復調部５で生成されたＴＳパケット列ＴＳＰ（Ｃ）を受け、その共通端子Ｃは無線送信部９に接続される。スイッチＳＷ２２の第１切換端子Ａはベースバンド復調部４で生成されたベースバンド信号ＢＢ（Ｍ）またはＢＢ（Ｓ）を受け、その第２切換端子Ｂはベースバンド合成部３１で生成されたベースバンド信号ＢＢ（Ｃ）を受ける。
【００８８】
スイッチＳＷ２３の第１切換端子ＡはＦＥＣ復調部５で生成されたＴＳパケット列ＴＳＰ（Ｃ）を受け、その第２切換端子Ｂは無線受信部７で生成されたベースバンド信号ＢＢ（Ｓ）またはＴＳパケット列ＴＳＰ（Ｃ）を受け、その共通端子Ｃはデジタル放送復号部１０に接続される。スイッチＳＷ２１〜ＳＷ２３は、制御部８によって制御される。
【００８９】
制御部８は、当該携帯電話機６５の使用者がテレビ放送の視聴を開始した場合、無線受信部７および無線送信部９を使用して同じチャンネルが視聴されている他の携帯電話機６５を検索する。そのような他の携帯電話機６５が存在する場合は、そのような他の携帯電話機６５と協議してマスタ装置となるかスレーブ装置となるかを決定する。当該携帯電話機６５をマスタ装置とする場合はマスタモードを設定し、当該携帯電話機６５をスレーブ装置とする場合はスレーブモードを設定する。また、そのような他の携帯電話機６５が存在しない場合は、当該携帯電話機６５をシングルモードに設定する。
【００９０】
図１４（ｂ）に示すように、シングルモード時は、ベースバンド合成部３１が非活性化されるとともに、スイッチＳＷ２２の端子Ａ，Ｃ間が導通し、ベースバンド復調部４で生成されたベースバンド信号ＢＢ（Ｍ）がスイッチＳＷ２２を介してＦＥＣ復調部５に与えられる。また、スイッチＳＷ２３の端子Ａ，Ｃ間が導通し、ＦＥＣ復調部５で生成されたＴＳパケット列ＴＳＰ（Ｃ）がスイッチＳＷ２３を介してデジタル放送復号部１０に与えられる。スイッチＳＷ２１は使用されない（ＮＡ）。この場合、携帯電話機６５は従来の携帯電話機と同じ構成となる。また、ベースバンド合成部３１が非活性化されて消費電力の低減化が図られる。
【００９１】
スレーブモード時は、ベースバンド合成部３１およびＦＥＣ復調部５が非活性化され、スイッチＳＷ２１の端子Ａ，Ｃ間が導通し、スイッチＳＷ２３の端子Ｂ，Ｃ間が導通する。無線受信部７は、マスタモードに設定された他の携帯電話機６５からの無線信号を復調してＴＳパケット列ＴＳＰ（Ｃ）を生成する。このＴＳパケット列ＴＳＰ（Ｃ）は、スイッチＳＷ２３を介してデジタル放送復号部１０に与えられる。また、ベースバンド復調部４で生成されたベースバンド信号ＢＢ（Ｓ）は、スイッチＳＷ２１を介して無線送信部９に与えられ、無線送信部９で無線信号に変換されてマスタモードに設定された他の携帯電話機６５に送信される。スイッチＳＷ２２は使用されない（ＮＡ）。
【００９２】
マスタモード時は、ベースバンド合成部３１が活性化され、スイッチＳＷ２１の端子Ｂ，Ｃ間が導通し、スイッチＳＷ２２の端子Ｂ，Ｃ間が導通し、スイッチＳＷ２３の端子Ａ，Ｃ間が導通する。無線受信部７は、スレーブモードに設定された他の携帯電話機６５からの無線信号を復調してベースバンド信号ＢＢ（Ｓ）を生成する。
【００９３】
ベースバンド合成部３１は、ベースバンド復調部４で生成されたベースバンド信号ＢＢ（Ｍ）と、無線受信部７で生成されたベースバンド信号ＢＢ（Ｓ）とを合成してエラーの少ないベースバンド信号ＢＢ（Ｃ）を生成する。このベースバンド信号ＢＢ（Ｃ）は、スイッチＳＷ２２を介してＦＥＣ復調部５に与えられ、ＦＥＣ復調部５でＴＳパケット列ＴＳＰ（Ｃ）に変換される。このＴＳパケット列ＴＳＰ（Ｃ）は、スイッチＳＷ２１を介して無線送信部９に与えられ、無線送信部９で無線信号に変換されてスレーブモードに設定された他の携帯電話機６５に送信される。
【００９４】
また、図１５は、制御部８の構成を示すブロック図である。図１５において、制御部８は、ソフトウェア（プログラム）を格納した記録媒体７１と、記録媒体７１からソフトウェアを読み出して実行するプログラム制御部７２と、プログラム制御部７２からの指示に従って無線送受信の切換やダイバシチ構成の切換を行なうダイバシチ合成制御部７３とを含む。なお、プログラム制御部７２は、ダイバシチ合成制御だけでなく他の携帯電話機能の制御を行なってもよい。
【００９５】
図１６は、プログラム制御部７２の動作を示すフローチャートである。プログラム制御部７２は、視聴開始後、ステップＳ１において、受信しようとするチャネルに相当するマスタ（マスタモードに設定された他の携帯電話機６５）が存在するか否かを無線通信にて判別する。ステップＳ１においてマスタが既に存在すると判別した場合は、ステップＳ２において自分自身をスレーブモードに設定し、マスタと受信データの授受を行なう。
【００９６】
ステップＳ２においてマスタが存在しないと判別した場合は、ステップＳ３において自分自身をマスタとして動作させるか否かを他の携帯電話機６５と協議した上で決定する。ステップＳ３において自分自身をマスタとして動作させると決定した場合は、ステップＳ４においてマスタモードを設定し、スレーブ（スレーブモードに設定された他の携帯電話機６５）からの通信を受け入れる構成を取り、自身のテレビ放送の視聴を行なう。
【００９７】
ステップＳ３において自分自身をマスタとして動作させないと決定した場合は、ステップＳ５においてシングルモードを設定する。ステップＳ２，Ｓ４，Ｓ５でスレーブモード、マスタモード、またはシングルモードに設定された場合は、ステップＳ６においてテレビ放送の視聴が終了したか否かを判別し、終了していない場合は設定されたモードを維持し、終了した場合は処理を終了する。
【００９８】
図１６で示した方法では、マスタやスレーブの構成を取る携帯電話機６５が決まっている場合は問題ないが、実際にはテレビ放送の視聴の開始や中断を予見することが困難であり、視聴中にマスタやスレーブが視聴を中断することが考えられる。図１７は、視聴中にマスタやスレーブの構成が変わることを前提とした処理手順を示すフローチャートである。ステップＳ１〜Ｓ５は、図１６で説明した通りである。
【００９９】
ステップＳ２においてスレーブモードに設定された場合は、ステップＳ６においてテレビ放送の視聴が終了するまで待機し、終了した場合はステップＳ７においてマスタにスレーブ構成から抜けることを連絡してから処理を終了する。ステップＳ４においてマスタモードに設定された場合は、ステップＳ８においてテレビ放送の視聴が終了するまで待機し、終了した場合はステップＳ９においてスレーブの１台をマスタとして動作させるように指示してから処理を終了する。ステップＳ５でシングルモードに設定された場合は、ステップＳ１０においてテレビ放送の視聴が終了したか否かを判別し、終了していない場合は設定されたシングルモードを維持し、終了した場合は処理を終了する。
【０１００】
この実施の形態６でも、実施の形態５と同じ効果が得られる。また、各携帯電話機６５がマスタ型携帯電話機とスレーブ型携帯電話機のいずれにもなり得るので、受信環境の一層の安定化を図ることができる。また、シングルモードに設定することにより、消費電力の低減化を図ることができる。
【０１０１】
なお、図１４では、図面および説明の簡単化のためハードウェアであるスイッチＳＷ２１〜ＳＷ２３を用いてモードの切換を行なったが、ソフトウェアによってモードの切換を行ってもよい。また、ベースバンド合成部３１は、ハードウェアで実現してもよいし、ソフトウェアで実現してもよい。
【０１０２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１０３】
【図１】この発明の実施の形態１によるデジタル放送受信システムの構成を示すブロック図である。
【図２】図１に示したデジタル放送受信システムで使用されるＴＳパケットの構成を示す図である。
【図３】図１に示したデジタル放送受信システムの動作を説明するための図である。
【図４】図３に示したデジタル放送受信システムの動作を例示するタイムチャートである。
【図５】実施の形態１の変更例を示すブロック図である。
【図６】この発明の実施の形態２によるデジタル放送受信システムで使用される携帯電話機の構成を示す回路ブロック図である。
【図７】この発明の実施の形態３によるデジタル放送受信システムの構成を示すブロック図である。
【図８】図７に示したデジタル放送受信システムの動作を説明するための図である。
【図９】実施の形態３の変更例を示すブロック図である。
【図１０】この発明の実施の形態４によるデジタル放送受信システムで使用される携帯電話機の構成を示す回路ブロック図である。
【図１１】この発明の実施の形態５によるデジタル放送受信システムの構成を示すブロック図である。
【図１２】図１１に示したデジタル放送受信システムの動作を説明するための図である。
【図１３】実施の形態５の変更例を示すブロック図である。
【図１４】この発明の実施の形態６によるデジタル放送受信システムで使用される携帯電話機の構成を示す回路ブロック図である。
【図１５】図１４に示した制御部の構成を示すブロック図である。
【図１６】図１５に示したプログラム制御部の動作を示すフローチャートである。
【図１７】図１５に示したプログラム制御部の他の動作を示すフローチャートである。
【符号の説明】
【０１０４】
１，３０，５０  マスタ型携帯電話機、２，１２  アンテナ、３，１３  チューナ、４，１４  ベースバンド復調部、５，１５  ＦＥＣ復調部、６  ＴＰＳ合成部、７，１８  無線受信部、８，１７  制御部、９，１６  無線送信部、１０，１９  デジタル放送復号部、１１，２１〜２３，３２，４１〜４３，５１，６１〜６３  スレーブ型携帯電話機、２４  パケット合成装置、２５，４５，６５  携帯電話機、３１  ベースバンド合成部、４４，６４  ベースバンド合成装置、ＳＷ  スイッチ、７１  記憶媒体、７２  プログラム制御部、７３  ダイバシチ合成制御部。
【図１】
2010021873.tif 000003
【図２】
2010021873.tif 000004
【図３】
2010021873.tif 000005
【図４】
2010021873.tif 000006
【図５】
2010021873.tif 000007
【図６】
2010021873.tif 000008
【図７】
2010021873.tif 000009
【図８】
2010021873.tif 000010
【図９】
2010021873.tif 000011
【図１０】
2010021873.tif 000012
【図１１】
2010021873.tif 000013
【図１２】
2010021873.tif 000014
【図１３】
2010021873.tif 000015
【図１４】
2010021873.tif 000016
【図１５】
2010021873.tif 000017
【図１６】
2010021873.tif 000018
【図１７】
2010021873.tif 000019